【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
圧縮パラメータに基づいて所定の圧縮率で第１の画像データを非可逆圧縮して第２の画像データを生成する圧縮手段と、
前記第２の画像データを伸長して第３の画像データを生成する伸長手段と、
前記第３の画像データの画質が所定の水準以上であるか否かを判定する判定手段と、
前記圧縮パラメータを変更して前記圧縮率を変更する変更手段と、
を備え、
前記判定手段による判定の結果、前記画質が所定の水準以上ではないと判定された場合、前記変更手段により前記圧縮パラメータを変更し、前記圧縮手段による前記非可逆圧縮、前記伸長手段による前記伸長、及び前記判定手段による前記判定を繰り返すことを特徴とする画像処理装置。
【請求項２】
前記判定手段は、
前記第３の画像データから、輝度成分及び複数の色成分のうちいずれか１成分に対応するヒストグラムを生成する生成手段と、
前記ヒストグラムを解析する解析手段と、
を備え、
前記解析手段による解析結果に基づいて前記判定を行うことを特徴とする請求項１に記載の画像処理装置。
【請求項３】
前記解析手段は、
前記ヒストグラムの各階級について隣接する階級からの度数の変化の割合を取得する取得手段と、
前記変化の割合が所定の割合を超える階級の数を数え上げる数え上げ手段と、
を備え、
前記判定手段は、前記数え上げ手段が数え上げた数が所定の数未満である場合に前記画質が前記所定の水準以上であると判定することを特徴とする請求項２に記載の画像処理装置。
【請求項４】
前記判定手段は、
前記第３の画像データから、輝度成分及び複数の色成分のうち少なくとも２つの成分を選択し、該選択した成分それぞれに対応するヒストグラムを生成する生成手段と、
前記ヒストグラムを解析する解析手段と、
を備え、
前記解析手段による解析結果に基づいて前記判定を行うことを特徴とする請求項１に記載の画像処理装置。
【請求項５】
前記解析手段は、
前記選択した成分それぞれに対応する前記ヒストグラムそれぞれの各階級について隣接する階級からの度数の変化の割合を取得する取得手段と、
前記ヒストグラムそれぞれについて前記変化の割合が所定の割合を超える階級の数を数え上げる数え上げ手段と、
を備え、
前記判定手段は、前記ヒストグラムそれぞれのうち少なくともいずれかについて、前記数え上げ手段が数え上げた数が所定の数未満である場合に前記画質が前記所定の水準以上であると判定することを特徴とする請求項４に記載の画像処理装置。
【請求項６】
前記解析手段は、
前記選択した成分それぞれに対応する前記ヒストグラムそれぞれの各階級について隣接する階級からの度数の変化の割合を取得する取得手段と、
前記ヒストグラムそれぞれについて前記変化の割合が所定の割合を超える度数の数を数え上げる数え上げ手段と、
を備え、
前記判定手段は、前記ヒストグラムのすべてについて、前記数え上げ手段が数え上げた数が所定の数未満である場合に前記画質が前記所定の水準以上であると判定することを特徴とする請求項４に記載の画像処理装置。
【請求項７】
さらに、前記変化の割合を示すグラフを表示する表示手段を備えることを特徴とする請求項３、５、又は６に記載の画像処理装置。
【請求項８】
さらに、前記ヒストグラムを表示する表示手段を備えることを特徴とする請求項２乃至７のいずれか１項に記載の画像処理装置。
【請求項９】
さらに、前記判定手段による判定の結果、前記画質が所定の水準以上ではないと判定された場合、ユーザの指示に従い、前記変更手段により前記圧縮パラメータを変更し、前記圧縮手段による前記非可逆圧縮、前記伸長手段による前記伸長、及び前記判定手段による前記判定を繰り返すか否かを選択する選択手段を備えることを特徴とする請求項１乃至８のいずれか１項に記載の画像処理装置。
【請求項１０】
さらに、画像データを記憶する記憶手段を備えることを特徴とする請求項１乃至９のいずれか１項に記載の情報処理装置。
【請求項１１】
前記圧縮パラメータは量子化テーブルであることを特徴とする請求項１乃至１０のいずれか１項に記載の画像処理装置。
【請求項１２】
圧縮パラメータに基づいて所定の圧縮率で第１の画像データを非可逆圧縮して第２の画像データを生成する圧縮工程と、
前記第２の画像データを伸長して第３の画像データを生成する伸長工程と、
前記第３の画像データの画質が所定の水準以上であるか否かを判定する判定工程と、
前記圧縮パラメータを変更して前記圧縮率を変更する変更工程と、
を備え、
前記判定工程による判定の結果、前記画質が所定の水準以上ではないと判定された場合、前記変更工程により前記圧縮パラメータを変更し、前記圧縮工程による前記非可逆圧縮、前記伸長工程による前記伸長、及び前記判定工程による前記判定を繰り返すことを特徴とする画像処理方法。
【請求項１３】
コンピュータに、
圧縮パラメータに基づいて所定の圧縮率で第１の画像データを非可逆圧縮して第２の画像データを生成する圧縮工程と、
前記第２の画像データを伸長して第３の画像データを生成する伸長工程と、
前記第３の画像データの画質が所定の水準以上であるか否かを判定する判定工程と、
前記圧縮パラメータを変更して前記圧縮率を変更する変更工程と、
を備え、
前記判定工程による判定の結果、前記画質が所定の水準以上ではないと判定された場合、前記変更工程により前記圧縮パラメータを変更し、前記圧縮工程による前記非可逆圧縮、前記伸長工程による前記伸長、及び前記判定工程による前記判定を繰り返すことを特徴とする画像処理方法を実行させるためのプログラム。
【請求項１４】
コンピュータに、
圧縮パラメータに基づいて所定の圧縮率で第１の画像データを非可逆圧縮して第２の画像データを生成する圧縮工程と、
前記第２の画像データを伸長して第３の画像データを生成する伸長工程と、
前記第３の画像データの画質が所定の水準以上であるか否かを判定する判定工程と、
前記圧縮パラメータを変更して前記圧縮率を変更する変更工程と、
を備え、
前記判定工程による判定の結果、前記画質が所定の水準以上ではないと判定された場合、前記変更工程により前記圧縮パラメータを変更し、前記圧縮工程による前記非可逆圧縮、前記伸長工程による前記伸長、及び前記判定工程による前記判定を繰り返すことを特徴とする画像処理方法を実行させるためのプログラムを記録したコンピュータ読み取り可能な記憶媒体。
【手続補正２】
【補正対象書類名】明細書
【補正対象項目名】００５４
【補正方法】変更
【補正の内容】
【００５４】
システム制御部５０は、所定の隣接度数変化の割合を超える階級のカウント（数え上げ）を行い、カウント数が、所定の閾値を超えた場合には、画質が所定の水準未満であると判定することができる。「所定の隣接度数変化の割合」及び「所定の閾値」は、メモリ５２に事前に記録されていてもよいし、ユーザがセレクトボタン４８等を操作して設定・変更可能なようにデジタルカメラ１００を構成してもよい。
【手続補正３】
【補正対象書類名】明細書
【補正対象項目名】００５５
【補正方法】変更
【補正の内容】
【００５５】
例えば、図４において、所定の隣接度数変化の割合を２００％に設定した場合、２００％を超える階級の数は、
図４（ａ）−−−  ４個
図４（ｂ）−−−３８個
となり、カウント数の所定の閾値を３０に設定した場合には、図４（ｂ）に対応する画像データは、画質が所定の水準未満であると判定される。
【手続補正４】
【補正対象書類名】明細書
【補正対象項目名】００５８
【補正方法】変更
【補正の内容】
【００５８】
複数の成分について上記と同様の処理を行う場合、そのうち１つの成分について、隣接度数変化の割合が所定の割合を超える階級の数が所定の閾値を超える場合に、システム制御部５０は画質が所定の水準未満であると判定できる。或いは、すべての成分について又は所定数以上の成分について、隣接度数変化の割合が所定の割合を超える階級の数が所定の閾値を超える場合に、システム制御部５０は画質が所定の水準未満であると判定することとしてもよい。